(57)【要約】【課題】画像形成装置においてフレームの形状をいたずらに複雑にすることなくフラットケーブルがコンタクトガラスに接触することを防止する。【解決手段】画像読取装置３０は、コンタクトガラス３２と、コンタクトガラス３２を支持する箱形のフレーム３１と、フレーム３１内のコンタクトガラス３２の原稿が載置される上面とは反対側の下面側において副走査方向に往復移動するスキャナー４０と、スキャナー４０に設けられた主走査方向に延びるケーブル口４４に一端が接続され、フレーム３１に設けられたフレーム固定部３４により幅方向が主走査方向に一致するようにフレーム３１に他端が接続されたフラットケーブル３３と、スキャナー４０に取り付けられた全長が伸縮可能な可動式ガイド５０とを備え、可動式ガイド５０が、フラットケーブル３３とコンタクトガラス３２との間に介在するようにスキャナー４０から副走査方向に突出している。【選択図】図２
2017225089.tif 000002
【特許請求の範囲】
【請求項１】
読取対象の原稿が載置されるコンタクトガラスと、
前記コンタクトガラスを支持する箱形のフレームと、
主走査方向に延びた読取機構を有し、前記フレーム内の前記コンタクトガラスの原稿が載置される上面とは反対側の下面側において副走査方向に往復移動するスキャナーと、
前記スキャナーに設けられた主走査方向に延びるケーブル口に一端が接続され、前記フレームに設けられたフレーム固定部により幅方向が主走査方向に一致するように前記フレームに他端が接続されたフラットケーブルと、
前記スキャナーに取り付けられた全長が伸縮可能な可動式ガイドと、を備え、
前記可動式ガイドが、前記フラットケーブルと前記コンタクトガラスとの間に介在するように前記スキャナーから副走査方向に突出している、画像読取装置。
【請求項２】
前記可動式ガイドは、前記スキャナーが前記可動式ガイドの突出方向に移動して前記可動式ガイドの突出先端部が前記フレームに当接して更に押し込まれることで最小長まで収縮し、前記スキャナーが前記可動式ガイドの突出方向とは逆方向に移動して前記突出先端部が前記フレームから離接することで最大長まで伸張する、請求項１に記載の画像読取装置。
【請求項３】
前記可動式ガイドの最大伸張時の長さが、前記スキャナーが前記フレーム固定部の上方に位置する場合において前記フラットケーブルが前記コンタクトガラスに接触するのを回避するのに十分な長さである、請求項１または請求項２に記載の画像読取装置。
【請求項４】
前記可動式ガイドは、入れ子状に遊嵌された複数の入れ子部材と、最外側の入れ子部材と最内側の入れ子部材とを互いに離反する方向に付勢するバネと、を有する、請求項１乃至請求項３の何れか１項に記載の画像読取装置。
【請求項５】
前記最外側の入れ子部材および前記最内側の入れ子部材のいずれか一方には、前記可動式ガイドの突出方向に延在する中空の雌軸が設けられ、
前記最外側の入れ子部材および前記最内側の入れ子部材のいずれか他方には、前記突出方向に延在する雄軸が設けられ、
前記雄軸は、前記雌軸の内径よりも小さい直径の先端部と、前記先端部の直径よりも大きい直径の根本部とを含み、
前記雄軸の根本部および前記雌軸には、前記バネの両端部が軸通され、
前記雄軸の先端部は、前記可動式ガイドの収縮時において、前記雌軸に嵌通する、請求項４に記載の画像読取装置。
【請求項６】
前記最外側の入れ子部材および前記最内側の入れ子部材には、それぞれ、前記バネを挟んで前記突出方向に直交する方向の両側に第１のカバーおよび第２のカバーが設けられ、
前記可動式ガイドの収縮時において、前記最内側の入れ子部材の第１のカバーが、前記最外側の入れ子部材の第１のカバーと前記バネとの間に位置するとともに、前記最外側の入れ子部材の第２のカバーが、前記最内側の入れ子部材の第２のカバーと前記バネとの間に位置する、請求項４または請求項５に記載の画像読取装置。
【請求項７】
前記複数の入れ子部材は、前記可動式ガイドの最大伸張時における他の入れ子部材からの抜けを規制する掛止部を有する、請求項１乃至請求項６の何れか１項に記載の画像読取装置。
【請求項８】
前記複数の入れ子部材は、前記可動式ガイドの突出方向に延びるガイド溝が更に設けられ、
前記掛止部は、他の入れ子部材の前記ガイド溝に挿通されて前記突出方向に往復自在に案内され、前記可動式ガイドの最大伸張時において、前記ガイド溝の端部に引っ掛かることで前記入れ子部材からの抜けが規制される、請求項７に記載の画像読取装置。
【請求項９】
請求項１乃至請求項８の何れか１項に記載の画像読取装置と、
前記画像読取装置が読み取った画像を記録紙に形成する画像形成部と、を備える画像形成装置。
【発明の詳細な説明】
【技術分野】
【０００１】
本発明は、画像読取装置および当該画像読取装置を備える画像形成装置に関する。
【背景技術】
【０００２】
主走査方向に延びた読取部を有するスキャナーを副走査方向に往復移動させることで、コンタクトガラスに載置された原稿の画像を読み取る画像読取装置が知られている。この画像読取装置においては、スキャナーの往復移動に応じてスキャナーに接続したケーブルが頻繁に折り曲がるため、折り曲がりに強いフラットケーブルがスキャナーとの接続に用いられる。
【０００３】
ここで、フラットケーブルは、スキャナーの往復移動に応じた変形により、コンタクトガラスに接触する場合がある。フラットケーブルがコンタクトガラスに接触すると、フラットケーブルがコンタクトガラスに張り付き、コンタクトガラスが汚れたりするおそれがある。
【０００４】
特許文献１には、フラットケーブルの変形によりその高さが最大になるときに、フラットケーブルが収まる凹部をフレーム内に形成する技術が開示されている。当該技術によれば、フラットケーブルがコンタクトガラスに接触することを防止することができる。
【先行技術文献】
【特許文献】
【０００５】
【特許文献１】特開２００４−１０４３９２号公報
【発明の概要】
【発明が解決しようとする課題】
【０００６】
しかしながら、特許文献１に開示される技術では、フレーム内にフラットケーブルが収まる凹部を設ける必要があることから、フレームの形状が複雑になるという問題がある。
【０００７】
本発明は、上記の事情に鑑みなされたものであり、画像形成装置においてフレームの形状をいたずらに複雑にすることなくフラットケーブルがコンタクトガラスに接触することを防止することを目的とする。
【課題を解決するための手段】
【０００８】
本発明の一局面にかかる画像読取装置は、読取対象の原稿が載置されるコンタクトガラスと、前記コンタクトガラスを支持する箱形のフレームと、主走査方向に延びた読取機構を有し、前記フレーム内の前記コンタクトガラスの原稿が載置される上面とは反対側の下面側において副走査方向に往復移動するスキャナーと、前記スキャナーに設けられた主走査方向に延びるケーブル口に一端が接続され、前記フレームに設けられたフレーム固定部により幅方向が主走査方向に一致するように前記フレームに他端が接続されたフラットケーブルと、前記スキャナーに取り付けられた全長が伸縮可能な可動式ガイドと、を備え、前記可動式ガイドが、前記フラットケーブルと前記コンタクトガラスとの間に介在するように前記スキャナーから副走査方向に突出している、画像読取装置である。
【０００９】
また、本発明の別の一局面にかかる画像形成装置は、上記の画像読取装置と、上記の画像読取装置が読み取った画像を記録紙に形成する画像形成部と、を備える画像形成装置である。
【発明の効果】
【００１０】
本発明によれば、画像読取装置においてフレームの形状をいたずらに複雑にすることなくフラットケーブルがコンタクトガラスに接触することを防止することができる。
【図面の簡単な説明】
【００１１】
【図１】本発明の一実施形態にかかる画像読取装置を備えた画像形成装置を示す斜視図である。
【図２】本発明の一実施形態にかかる画像読取装置の読取部を示す斜視図である。
【図３】本発明の一実施形態にかかる画像読取装置のスキャナーを示す斜視図である。
【図４】可動式ガイドが最小長まで収縮したときの読取部の断面図である。
【図５】可動式ガイドが最大長まで伸張したときの読取部の断面図である。
【図６】最大伸張時の可動式ガイドを示す斜視図である。
【図７】最大伸張時の可動式ガイドのVII−VII端面図である。
【図８】最大伸張時の可動式ガイドのVIII−VIII斜視端面図である。
【図９】最大収縮時の可動式ガイドを示す斜視図である。
【図１０】最大収縮時の可動式ガイドのX−X端面図である。
【図１１】最大収縮時の可動式ガイドのXI−XI斜視端面図である。
【発明を実施するための形態】
【００１２】
以下、本発明の一実施形態にかかる画像読取装置およびこれを備えた画像形成装置について図面を参照して説明する。図１は、本発明の一実施形態にかかる画像読取装置を備えた画像形成装置を示す斜視図である。
【００１３】
図１に示すように、画像形成装置１は、装置本体８０と、装置本体８０の上方に配置された画像読取装置１０とから概略構成される。
【００１４】
装置本体８０の外郭を構成する筐体８１の内部には、画像形成部（不図示）等が収容されている。画像形成部は、感光体ドラム（不図示）、帯電装置（不図示）、露光装置（不図示）、および現像装置（不図示）等を備え、帯電、露光、現像の工程により、感光体ドラムに画像読取装置１０が読み取った原稿のトナー画像を形成する。その後、画像形成部は、当該トナー像を記録紙に転写して定着処理を施した記録紙を排出トレイ８２に排出する。
【００１５】
装置本体８０の筐体８１の前面には、操作部８３が配置されている。操作部８３は、画像読取ジョブの実行を指示するためのスタートキー等の複数の操作キー８３１と、液晶ディスプレイ（ＬＣＤ：Liquid Crystal Display）や有機ＥＬ（ＯＬＥＤ：Organic Light-Emitting Diode）ディスプレイを含んで構成される表示部８３２とを備えている。
【００１６】
画像読取装置１０は、読取部３０と、読取部３０の上方に配置された原稿搬送部２０とを備えている。原稿搬送部２０は、原稿載置台２１に載置された原稿を、後述するコンタクトガラス３２（図２参照）に向けて搬送する。コンタクトガラス３２に搬送された原稿は、予め定められた原稿読取位置で後述するスキャナー４０（図２参照）により読み取られ、その後原稿排出部２２へ排出される。
【００１７】
また、原稿搬送部２０は、コンタクトガラス３２の主面に対して開閉自在に設けられており、コンタクトガラス３２に載置された原稿を押さえる原稿押さえ部材としての役割も果たす。
【００１８】
図２は、読取部３０を示す斜視図である。図２に示されるように、読取部３０は、箱形の筐体３１（ケーシング）を備えている。筐体３１の上面３１Ａ（原稿搬送部２０が閉じられた状態で原稿搬送部２０に対向する面）には開口が設けられており、当該開口にコンタクトガラス３２が装着されている。
【００１９】
コンタクトガラス３２の原稿が載置される上面とは反対側の下面側には、スキャナー４０が設けられている。図３は、スキャナー４０を示す斜視図である。スキャナー４０の筐体４１には、筐体３１の下面３１Ｂ上に設けられたレール３５に跨座する溝部４２が設けられている。レール３５は、副走査方向（図中のＸ方向）に延びており、スキャナー４０は、モーターやギアからなる不図示の駆動部により、溝部４２がレール３５に跨座した状態でレール３５に沿って副走査方向に往復移動する。
【００２０】
スキャナー４０は、主走査方向（図中のＹ方向）に延びた読取機構４３を有する。読取機構４３は、赤色ＬＥＤ、緑色ＬＥＤ、青色ＬＥＤの複数のＬＥＤ等から構成された発光部（不図示）と、ＣＭＯＳ（Complementary Metal Oxide Semiconductor）イメージセンサー等の受光部（不図示）から構成されている。スキャナー４０は、発光部により、赤、緑、青の３色の光を切り替えながら読取対象の原稿に向けて光を照射するとともに、受光部により原稿で反射された反射光を受光する。受光部は、受光した光を電気信号へ変換して、主走査方向の１ライン分の画像データを取得する。
【００２１】
スキャナー４０は、スキャナー４０による画像読み取り動作を制御する制御部（不図示）と、後述するフラットケーブル３３を介して電気的に接続されている。制御部は、ＣＰＵ(Central Processing Unit)、ＲＡＭ（Random Access Memory）、およびＲＯＭ（Read Only Memory）等から構成される制御ユニットや、アナログ／デジタル変換回路等のハード回路等を含む。スキャナー４０が取得した画像データは、フラットケーブル３３を伝達し、制御部で、デジタル信号化、シェーディング補正、ガンマ補正、色収差補正、ＭＴＦ（Modulation Transfer Function）補正およびスキャナー色補正等の様々な画像処理が施される。そして、当該画像処理により生成された画像データは、内蔵の画像メモリー（不図示）やＨＤＤ等の記憶部（不図示）に記憶される。
【００２２】
なお、フラットケーブル３３は、上記の画像データだけでなく、スキャナー４０を駆動させる電力やスキャナー４０の画像読み取り動作を制御する制御信号等が伝達される。
【００２３】
フラットケーブル３３は、一定間隔で並べた複数の導線を樹脂皮膜で覆ったリボン状のケーブルである。フラットケーブル３３は、変形した場合にも電気的特性を維持できるという特性があり、往復移動するスキャナー４０に接続するケーブルとして好適である。フラットケーブル３３の一端にはスキャナー４０に設けられた主走査方向に延びるケーブル口４４に嵌まるソケットが設けられ、他端には制御部に設けられたピンヘッダー（不図示）に嵌まるソケットが設けられている。
【００２４】
筐体３１の下面３１Ｂ上には、フラットケーブル３３の他端を筐体３１に固定する筐体固定部３４（フレーム固定部）が設けられている。筐体固定部３４は、例えばクリップホルダであり、クリップホルダの爪間に挿通されたフラットケーブル３３を下方に押圧する。これにより、フラットケーブル３３は、そのフラット面が筐体３１の下面３１Ｂと接した状態で筐体３１に固定される。またこの時、フラットケーブル３３の幅方向は、主走査方向に一致する。
【００２５】
ここで、フラットケーブル３３は、一端と他端との間で折り返され湾曲した状態で筐体３１内に収容されている。このため、スキャナー４０の位置によっては、フラットケーブル３３が大きな円弧を描いて上方（図中のＺ方向）に膨らんで湾曲し、フラットケーブル３３の一部分がコンタクトガラス３２に接触する場合がある。
【００２６】
特に、スキャナー４０が筐体固定部３４の上方に位置する場合、フラットケーブル３３の一端と他端とが最近接するため、フラットケーブル３３の一部分がコンタクトガラス３２に接触し易い。フラットケーブル３３がコンタクトガラス３２に接触すると、フラットケーブル３３がコンタクトガラス３２に張り付き、コンタクトガラス３２が汚れたりするおそれがある。
【００２７】
そこで、本発明の一実施形態にかかる画像読取装置１０では、スキャナー４０から副走査方向に延在するフラットケーブル３３とコンタクトガラス３２との間にガイド（可動式ガイド５０）を介在させることにより、フラットケーブル３３がコンタクトガラス３２に接触することを回避している。以下、この点について詳細に説明する。
【００２８】
可動式ガイド５０は、スキャナー４０に設けられたケーブル口４４の上方において副走査方向（より詳細には図中のマイナスＸ方向）に突出するようにスキャナー４０に取り付けられている。可動式ガイド５０は、その全長が伸縮可能に構成されている。
【００２９】
図４は、可動式ガイド５０が最小長まで収縮したときの読取部３０の断面図である。図２に示す読取部３０と同じ構成については、同符号を付して説明を略する。可動式ガイド５０は、スキャナー４０が可動式ガイド５０の突出方向（図中のマイナスＸ方向）に移動して可動式ガイド５０の突出先端部が筐体３１の内側面に当接して更に押し込まれることで最小長まで収縮する。
【００３０】
図５は、可動式ガイド５０が最大長まで伸張したときの読取部３０の断面図である。図２に示す読取部３０と同じ構成については、同符号を付して説明を略する。可動式ガイド５０は、スキャナー４０が可動式ガイド５０の突出方向とは逆方向（図中のＸ方向）に移動して可動式ガイド５０の突出先端部が筐体３１から離接することで最大長まで伸張する。
【００３１】
特に、図５ではスキャナー４０が筐体固定部３４の上方に位置しているため、フラットケーブル３３は大きな円弧を描いて上方（図中のＺ方向）に膨らもうとする。しかし、可動式ガイド５０が最大長に伸張した状態でフラットケーブル３３とコンタクトガラス３２との間に介在することで、フラットケーブル３３は、ケーブル口４４に接続された一端から可動式ガイド５０の先端部に至るまでの間、可動式ガイド５０により副走査方向（より詳細には図中のマイナスＸ方向）に真っ直ぐ延びるように案内される。この結果、フラットケーブル３３が上方（図中のＺ方向）に大きく膨らむのが抑えられ、フラットケーブル３３はコンタクトガラス３２に接触するのを回避することができる。
【００３２】
なお、可動式ガイド５０の最大伸張時の長さが短ければ、フラットケーブル３３を副走査方向（より詳細には図中のマイナスＸ方向）に真っ直ぐ延びるように案内する効果が薄れてしまう。したがって、可動式ガイド５０の最大伸張時の長さは、スキャナー５０が筐体固定部３４の上方に位置する場合においてフラットケーブル３３がコンタクトガラス３２に接触するのを回避するのに十分な長さにすることが好ましい。
【００３３】
次に、可動式ガイド５０の詳細構成について説明する。
【００３４】
図６は、最大伸張時の可動式ガイド５０を示す斜視図である。図７は、最大伸張時の可動式ガイド５０のVII−VII端面図である。図８は、最大伸張時の可動式ガイド５０のVIII−VIII斜視端面図である。図９は、最大収縮時の可動式ガイド５０を示す斜視図である。図１０は、最大収縮時の可動式ガイド５０のX−X端面図である。図１１は、最大収縮時の可動式ガイド５０のXI−XI斜視端面図である。
【００３５】
可動式ガイド５０は図中のスライド方向に伸縮する。スライド方向は副走査方向と一致する。
【００３６】
可動式ガイド５０は、入れ子状に遊嵌された３つ入れ子部材５１ａ、５１ｂ、５１ｃを有する。入れ子部材５１ａが最外側の入れ子部材であり、入れ子部材５１ｃが最内側の入れ子部材である。入れ子部材５１ａはスキャナー４０に固着される。入れ子部材５１ｃのスライド方向先端部が可動式ガイド５０の突出先端部に相当する。
【００３７】
可動式ガイド５０には、最外側の入れ子部材５１ａと最内側の入れ子部材５１ｃとを互いに離反する方向に付勢するバネ（圧縮コイルバネ５２）が内装されている。
【００３８】
最外側の入れ子部材５１ａの内部にスライド方向に延在する雌軸５３が設けられている。最内側の入れ子部材５１ｃの内部にスライド方向に延在する雄軸５４が設けられている。入れ子部材５１ａの雌軸５３と入れ子部材５１ｃの雄軸５４は互いに対向する向きに突出している。
【００３９】
入れ子部材５１ａの雌軸５３の外径は圧縮コイルバネ５２の直径よりもわずかに小さい。入れ子部材５１ｃの雄軸５４は、根本部５４ａとそれから延びる先端部５４ｂとからなる。根本部５４ａの直径は圧縮コイルバネ５２の直径よりもわずかに小さく、入れ子部材５１ａの雌軸５３の外径と等しい。先端部５４ｂの直径は根本部５４ａの直径よりも小さく、かつ、入れ子部材５１ａの雌軸５３の内径よりもわずかに小さい。バネ５２の両端部は入れ子部材５１ａの雌軸５３および入れ子部材５１ｃの雄軸５４に軸通されている。
【００４０】
入れ子部材５１ａの先端開口部において幅方向（スライド方向と直交する方向）の両側に掛止部５５ａ，５５ｂが設けられている。入れ子部材５１ｂの先端開口部にも幅方向の両側に掛止部５６ａ，５６ｂが設けられている。一方、入れ子部材５１ｂの幅方向の両側にスライド方向に延びるガイド溝５７ａ，５７ｂが設けられている。入れ子部材５１ｃの幅方向の両側にスライド方向に延びるガイド溝５８ａ，５８ｂが設けられている。
【００４１】
入れ子部材５１ａの掛止部５５ａ，５５ｂは、それぞれ、入れ子部材５１ｂのガイド溝５７ａ，５７ｂに挿通されてスライド方向に往復自在に案内される。同様に、入れ子部材５１ｂの掛止部５６ａ，５６ｂは、それぞれ、入れ子部材５１ｃのガイド溝５８ａ，５８ｂに挿通されてスライド方向に往復自在に案内される。
【００４２】
スキャナー４０が筐体３１の内側面から十分に離れた位置にあるとき（図５参照）、圧縮コイルバネ５２のバネ力により入れ子部材５１ｃが入れ子部材５１ａから離反するように押し出される。このとき、入れ子部材５１ａの掛止部５５ａ，５５ｂが、それぞれ、入れ子部材５１ｂのガイド溝５７ａ，５７ｂの端に引っ掛かり、入れ子部材５１ｂが入れ子部材５１ａから抜けるのが規制される。また、入れ子部材５１ｂの掛止部５６ａ，５６ｂが、それぞれ、入れ子部材５１ｃのガイド溝５８ａ，５８ｂの端に引っ掛かり、入れ子部材５１ｃが入れ子部材５１ｂから抜けるのが規制される。このとき、可動式ガイド５０の全長は最大となる（図８参照）。
【００４３】
一方、スキャナー４０が筐体３１の内側面に最接近した位置にあるとき（図４参照）、可動式ガイド５０は筐体３１の内側面とスキャナー４０によってスライド方向の両側から押され、圧縮コイルバネ５２が縮む。このとき、入れ子部材５１ｃの雄軸５４の先端部５４ｂが入れ子部材５１ａの雌軸５３に嵌通する。そして、雌軸５３の先端が雄軸５４の根本部５４ａに当接したときに、可動式ガイド５０の全長は最小となる（図１０参照）。
【００４４】
また、図７に示すように、最外側の入れ子部材５１ａには、圧縮コイルバネ５２を挟んでスライド方向に直交する方向（上下方向）の両側に第１のカバー５１１ａおよび第２のカバー５１２ａが設けられている。また同様に、最内側の入れ子部材５１ｃにも、圧縮コイルバネ５２を挟んでスライド方向に直交する方向の両側に第１のカバー５１１ｃおよび第２のカバー５１２ｃが設けられている。そして、図１０に示すように、可動式ガイド５０の収縮時において、最内側の入れ子部材５１ｃの第１のカバー５１１ｃが、最外側の入れ子部材５１ａの第１のカバー５１１ａと圧縮コイルバネ５２との間に位置する。またこの時、最外側の入れ子部材５１ａの第２のカバー５１２ａが、最内側の入れ子部材５１ｃの第２のカバー５１２ｃと圧縮コイルバネ５２との間に位置する。
【００４５】
このように、最外側の入れ子部材５１ａと最内側の入れ子部材５１ｃとが互いに挟み込むように可動式ガイド５０が構成されているため、可動式ガイド５０は、フラットケーブル３３からのスライド方向に直交する方向（上下方向）からの力に対して強い強度を備える。
【００４６】
以上のように、本実施形態によれば、画像読取装置３０において可動式ガイド５０をフラットケーブル３３とコンタクトガラス３２との間に介在させることにより、筐体３１の形状をいたずらに複雑にすることなくフラットケーブル３３がコンタクトガラス３２に接触することを防止することができる。
【００４７】
＜変形例＞
上記の実施形態では、フラットケーブル３３はスキャナー４０のケーブル口４４から画像読取装置３０の左側（図２中のマイナスＸ方向）に延びているが、フラットケーブル３３はスキャナー４０のケーブル口４４から画像読取装置３０の右側（図２中のＸ方向）に延びるものであってもよい。その場合、可動式ガイド５０をスキャナー４０の右側に取り付ければよい。
【００４８】
また、上記の実施形態では、可動式ガイド５０は３個の入れ子部材５１ａ〜５１ｃで構成されているが、可動式ガイド５０は２個の入れ子部材または４個以上の入れ子部材で構成してもよい。
【００４９】
また、上記の実施形態では、入れ子部材５１ａに雌軸５３を、入れ子部材５１ｃに雄軸５４を設けているが、それら軸に代えて、入れ子部材５１ａ，５１ｃの双方に可動式ガイド５０の最大収縮時に衝突しない程度の短小の雄軸を設けるようにしてもよい。
【００５０】
また、上記の実施形態では、最外側の入れ子部材５１ａをスキャナー４０に取り付けているが、最内側の入れ子部材５１ｃをスキャナー４０に取り付けるようにしてもよい。
【符号の説明】
【００５１】
１      画像形成装置
１０    画像読取装置
３０    読取部
３１    筐体（フレーム）
３２    コンタクトガラス
３３    フラットケーブル
３４    筐体固定部（フレーム固定部）
４０    スキャナー
４３    読取機構
４４    ケーブル口
５０    可動式ガイド
５１ａ〜５１ｃ  入れ子部材
５２    圧縮コイルバネ（バネ）
５５ａ，５５ｂ，５６ａ，５６ｂ  掛止部
【図１】
2017225089.tif 000003
【図２】
2017225089.tif 000004
【図３】
2017225089.tif 000005
【図４】
2017225089.tif 000006
【図５】
2017225089.tif 000007
【図６】
2017225089.tif 000008
【図７】
2017225089.tif 000009
【図８】
2017225089.tif 000010
【図９】
2017225089.tif 000011
【図１０】
2017225089.tif 000012
【図１１】
2017225089.tif 000013